(57)【要約】【課題】乾燥する低温低湿時に皮膚の乾燥を抑制し得る皮脂腺活性物質が固着した繊維構造物皮脂腺活性物質の提供。【解決手段】繊維構造物の少なくとも繊維表面の一部に皮脂腺活性物質が固着されていることを特徴とする繊維構造物、上記の皮脂腺活性物質に経皮吸収促進剤が併用されていることを特徴とする繊維構造物、及び上記の皮脂腺活性物質がパッデイング、乾燥、次いでベーキングにより前記繊維表面の一部に固着され、それに伴って皮脂腺活性物質の洗濯耐久性が高くなることを特徴とする繊維構造物などにて提供。【選択図】      なし【特許請求の範囲】
【請求項１】
繊維構造物の少なくとも繊維表面の一部に、皮脂腺活性物質が固着されていることを特徴とする繊維構造物。
【請求項２】
皮脂腺活性物質は、γ−オリザノール、コレステリルイソステアレート、アンドロジェン、パンテチン酸エステル類、分岐脂肪酸コレステリルエステル酸、活性化ビタミンＤ３、プロポリス抽出物、マルトオリゴ糖、またはビャクシ抽出物から選ばれる少なくとも１種の化合物であることを特徴とする請求項１に記載の繊維構造物。
【請求項３】
皮脂腺活性物質は、経皮吸収促進剤と一緒に用いられることを特徴とする請求項１又は２に記載の繊維構造物。
【請求項４】
皮脂腺活性物質は、パッデイング、乾燥、次いでベーキングにより前記繊維表面の一部に固着され、それに伴って皮脂腺活性物質の洗濯耐久性が高くなることを特徴とする請求項１〜３のいずれかに記載の繊維構造物。
【発明の詳細な説明】
【０００１】
【産業上の利用分野】
本発明は、皮脂腺活性物質の固着した繊維構造物に関し、更に詳しくは、乾燥する低温低湿時に皮膚の乾燥を抑制し得る皮脂腺活性物質が固着した繊維構造物に関する。
【０００２】
【従来の技術】
皮膚は、身体の外表面を覆って、人体を保護している器官であり、外側から、表皮、真皮、皮下組織の三つの層から構成されており、付属機関として汗腺や皮脂腺を備えている。
表皮の最外層として角質層があり、皮膚内部からの水分の放出を抑えるとともに、外界から微生物や化学物質等の異物が浸入するのを防いでおり、いわゆるバリヤー機能を持っている。表皮のターンオーバー（角質層が、表皮の基底層の細胞が規則正しく分裂を繰り返し、有きょく層から顆粒層を経て形成され、さらに役割を終えた角質層は垢となって剥がれてゆき、角質層の厚さを一定に保っている。この新しい細胞層が約４週間で入れ替わる過程のこと。）が正常に行われれば、外界の乾燥に対して十分なバリヤー機能をもち、皮膚表面から水分が過剰に蒸発しないように調節する。
【０００３】
しかしながら、皮膚の状態は、外界の低温度、低湿度、紫外線の照射、加齢、ストレス、食物、飲料、運動、疾病等様々に影響を受け、正常な角質層が形成されなかったり、皮脂の分泌が不十分であると、肌荒れ、かさつき、ひびわれ、あかぎれ等が発生したり、また肌の潤い、つや、なめらかさ、はり、柔軟性等も低下する。
【０００４】
上記のごとき肌荒れを防止するための繊維製品として、カチオン系界面活性剤乳化分散水溶液で処理後乾燥し、次いで保湿性スクワランとホホバ油が分散混合しているアニオン系界面活性剤乳化分散水溶液で処理後乾燥する繊維製品の加工方法が開示されている。（例えば、特許文献１参照）
また、保湿成分であるアルギニンを付与してなる繊維製品が開示されている。
（例えば、特許文献２参照）
【０００５】
さらに、繊維製品を、キトサン酸性溶液で処理後、塩基性溶液中で凝固再生させ、次いでアルキルビス−（２，３−エポキシプロピルジアルキルアンモニウムハライド）で架橋処理した後、グリチルリチン酸ジカリウム及びヤシ油脂肪酸加水分解コラーゲントリエタノールアミンが分散混合しているノニオン系界面活性剤乳化分散溶液で処理することを特徴とする繊維製品の加工方法が開示されている。（例えば、特許文献３参照）
これらは、いずれも繊維に含有させた保湿成分の効果によって皮膚の水分を逃がさないように工夫したものであるが、皮膚に対する効果は、不十分である。
【０００６】
皮脂腺活性物質自体は、数多く提案されており、例えば、γ−オリザノール（例えば、特許文献４、第２頁参照）、コレステリルイソステアレート（例えば、特許文献５、第２頁参照）、アンドロジェン（例えば、特許文献５、第２頁参照）、パンテチン酸エステル類（例えば、特許文献６参照）、分岐脂肪酸コレステリルエステル酸（例えば、特許文献７参照）、活性化ビタミンＤ３（例えば、特許文献８参照）、プロポリス抽出物（例えば、特許文献９参照）、マルトオリゴ糖（例えば、特許文献１０参照）、及びビャクシ抽出物（例えば、特許文献１１参照）等が開示されている。
【０００７】
しかしながら、これらの皮脂腺活性物質は、クリームや軟膏等の化粧品や医薬外用剤に含有させて利用されてはいるが、これらを塗布や貼付用途以外で、繊維に含有させたものはない。ただし、γ−オリザノールについては、これを繊維表層部及び／又は繊維内部に含有させた抗菌性繊維構造物（例えば、特許文献１２参照）、及びこれをバインダーにより付着させた衣料（例えば、特許文献１３参照）が開示されているが、いずれの場合も皮脂腺活性機能については、何ら開示されていない。
【０００８】
【特許文献１】
特開平７−４２０７３号公報
【特許文献２】
特開平８−１３４７７８号公報
【特許文献３】
特開２００２−１３０７１号公報
【特許文献４】
特開２００２−２３８４５５号公報
【特許文献５】
特開平８−８１３５２号公報
【特許文献６】
特開昭５４−１６０３１５号公報
【特許文献７】
特開昭６０−１６９２７号公報
【特許文献８】
特開平６２−２６３１２５号公報
【特許文献９】
特開平１−２９０６１４号公報
【特許文献１０】
特開平５−２９４８３７号公報
【特許文献１１】
特開平７−１７６０３０号公報
【特許文献１２】
特許第３２４８２９２号公報
【特許文献１３】
特許第２９６８２９７号公報
【０００９】
【発明が解決しようとする課題】
本発明は、上記の従来技術の問題点に鑑み、肌の健康を保持するための皮脂腺活性物質が固着した繊維構造物を提供することを課題とする。
【００１０】
【課題を解決するための手段】
本発明者らは、上記課題に鑑み、鋭意検討を重ねた結果、繊維構造物の少なくとも繊維表面の一部に、皮脂腺活性物質を固着させると、その繊維構造物を使用した場合に肌の健康を保持することを見出し、本発明を完成させた。
【００１１】
すなわち、本発明の第１の発明によれば、繊維構造物の少なくとも繊維表面の一部に、皮脂腺活性物質が固着されていることを特徴とする繊維構造物が提供される。
【００１２】
また、本発明の第２の発明によれば、皮脂腺活性物質は、γ−オリザノール、コレステリルイソステアレート、アンドロジェン、パンテチン酸エステル類、分岐脂肪酸コレステリルエステル酸、活性化ビタミンＤ３、プロポリス抽出物、マルトオリゴ糖、またはビャクシ抽出物から選ばれる少なくとも１種の化合物であることを特徴とする第１の発明に記載の繊維構造物が提供される。
【００１３】
また、本発明の第３の発明によれば、皮脂腺活性物質は、経皮吸収促進剤と一緒に用いられることを特徴とする第１又は第２の発明に記載の繊維構造物が提供される。
【００１４】
また、本発明の第４の発明によれば、皮脂腺活性物質は、パッデイング、乾燥、次いでベーキングにより前記繊維表面の一部に固着され、それに伴って皮脂腺活性物質の洗濯耐久性が高くなることを特徴とする第１〜第３の発明のいずれかに記載の繊維構造物が提供される。
【００１５】
【発明の実施の形態】
以下、本発明の皮脂腺活性物質を固着した繊維構造物について、主要な項目毎に詳細に説明する。
【００１６】
１．繊維構造物
本発明に用いる繊維構造物は、１種類の繊維単独またはその繊維と他の繊維とを混合して作ったもの、すなわち、混紡、混繊、交撚または交編織を使用することができる。また繊維構造物の形態も、綿、糸、編織物および不織布のいずれであっても、また、これらの混用であってもよい
【００１７】
本発明における繊維構造物の繊維としては、木綿、キュプラ、カポック等の種子毛繊維、亜麻、大麻、黄麻、苧麻、ケナフ、芭蕉布等の靱皮繊維、アバカ、サイザル等の葉脈繊維、椰子などの果実繊維、パルプ等の天然セルロース繊維、ビスコースレーヨン、銅アンモニア法レーヨン、アセテートなどの半合成繊維、ベンベルグ、レーヨン、ポリノジック等の再生セルロース繊維、テンセル等の精製セルロース等のセルロース系繊維、羊毛、シルク等の動物性繊維、ポリアミド、ポリエステル、ポリアクリル、ポリオレフィン等の合成繊維等が挙げられる。
【００１８】
２．皮脂腺活性物質
本発明に用いる皮脂腺活性物質は、皮脂腺を活性化させ、皮脂分泌を促進させることができる物質であり、例えば、γ−オリザノール、コレステリルイソステアレート、アンドロジェン、パンテチン酸エステル類、分岐脂肪酸コレステリルエステル酸、活性化ビタミンＤ３、プロポリス抽出物、マルトオリゴ糖、及びビャクシ抽出物等が知られている。
【００１９】
３．経皮吸収促進剤
本発明に用いる経皮吸収促進剤は、皮脂腺活性物質と併用することによって皮脂腺活性物質が皮膚表面から皮膚の内部に吸収される量を増加させる役目を果たす物質であり、特に限定されないが、具体例としては、ジメチルスルホキシド、オキシカルボン酸、Ｎ−アシルサルコシン、ミリスチン酸イソプロピル、パルミチン酸イソプロピル、リモネン等が挙げられる。
【００２０】
なお、本発明においては、繊維構造物に皮脂腺活性物質、さらにはそれに加えて経皮吸収促進剤を固着するとき、必要に応じて、柔軟剤、乳化剤、帯電防止剤、溶剤、撥水剤、撥油剤、抗菌剤、消泡剤等、その他の繊維処理剤を用いてもよい。
【００２１】
４．皮脂腺活性物質の固着
本発明の繊維構造物は、少なくとも繊維表面の一部に皮脂腺活性物質が固着されておれば、その方法は特に限定されない。
具体的な固着方法としては、例えば、対象とする繊維構造物に対して、皮脂腺活性物質を含有する水溶液を用いて、パッデイング、乾燥、次いでベーキングを行う。特に、皮脂腺活性物質として好適なγ−オリザノールを使用する場合は、樹脂バインダーをまったく使用しないで、γ−オリザノールを含有する水溶液を単にパッデイング、乾燥、次いでベーキングしさえすれば、十分な洗濯耐久性が得られることがわかっており、逆に樹脂バインダーを用いると、風合いが硬くなる等の悪影響を及ぼすことがあるので好ましくない。
【００２２】
【実施例】
以下、本発明の実施例及び比較例によって、本発明をさらに詳しく説明するが、本発明は、これらの実施例によってなんら限定されるものではない。なお、実施例及び比較例において用いた評価方法は、以下の通りである。
【００２３】
［洗濯耐久性の評価］
洗濯方法は、ＪＩＳ  Ｌ  １０４２に準拠した。また、γ−オリザノール成分の含有量は吸光度測定により求めた。
【００２４】
［皮脂分泌の評価試験］
２７〜４５才の女性被験者を５名選び、その左右上腕部を測定部位とした。
まず、一方の上腕部には、本発明に係る実施例の生地を筒状に縫製（２５ｃｍ×２０ｃｍ）したものを巻き、もう一方の上腕部には、比較例の生地を同様に筒状に縫製したものを巻いた。５人のうち３人は、右側の上腕に実施例の生地を、２人は左側の上腕に実施例の生地を巻いた。生地の装着は、朝８時から夕方５時まで、毎日行ない、４週間継続した。この４週間の装着の前と後で、皮脂の測定、皮膚水分量の測定及び皮膚表面の顕微鏡観察を行なった。
その際、皮脂の測定には、Ｃｏｕｒａｇｅ＋Ｋｋａｚａｋａ製皮膚油分計、また皮膚水分量の測定には、スカラ社製モイスチャーチェッカーを使用した。
なお、上記評価試験結果をまとめた表中に記載した評価項目と記号は、それぞれ下記のとおりを意味し、用いられたデータは、女性被験者５人の平均値である。
【００２５】
皮脂変化量：（４週間実験後の上腕部皮脂量）−（実験前の上腕部皮脂量）
皮膚水分量変化量：（４週間実験後の上腕部皮膚水分量）−（実験前の上腕部皮膚水分量）
皮膚表面の状態：◎  非常によくなった、○  よくなった、△  変わらない、×  悪くなった
皮膚の触感：×  非常にかさかさしている、△  かさかさしている、○  かさつかない
【００２６】
実施例１〜７、比較例１
生地として綿１００％の平織で、生地規格が５０×４０（番手）／１４８×７０（本／インチ）の綿布を精錬・漂白・シルケット処理したものを準備し、一方、皮脂腺活性物質としてγ―オリザノールを５重量％含有した乳化薬剤（商品名オリザガンマミルキー（株）オリザ油化製）をそれぞれ１０重量％（実施例１、４、５、６、７）、５重量％（実施例２）、１重量％（実施例３）含有した水溶液を作成した。
実施例１〜３では、生地を上記薬液にてパディングし、乾燥（１２０℃、１分）、ベーキング（１８５℃、２分）した。また、実施例４では、ベーキング温度を１４０℃とした点を除き、実施例１〜３の場合と同じとした。同様に実施例５では、ベーキング温度を１５５℃、実施例６ではベーキング温度を１７０℃とし、実施例７では、ベーキングなしとした。
一方、比較例１では、同じ生地にてこれら全ての処理を行なわなかった。
処理後の生地の洗濯耐久性を評価した結果を表１に示す。
【００２７】
【表１】
2004346466.tif 000002
【００２８】
なお、表中のＬ０は処理後の生地に含まれるγ―オリザノールの含有量、Ｌ１０、Ｌ２０は、それぞれ洗濯１０回、２０回後における生地に含まれるγ―オリザノールの含有量を意味する。
【００２９】
表１から明らかなように、実施例１、２では洗濯２０回後でもγ―オリザノールが残存していた。初期付着量を少量にした実施例３でも洗濯１０回は洗濯耐久性が見られた。しかしベーキングを行なわなかった実施例７や、ベーキング温度が１４０℃や１５５℃の実施例４及び５では、初期付着量は多いにもかかわらず洗濯１０回までしかγ―オリザノールは残存しなかった。このことから、すくなくとも１５５℃を超える温度でのベーキング処理によって当該成分の洗濯耐久性は向上することが明らかである。
【００３０】
実施例８、比較例２
生地として綿１００％の編物（組織はスムス）で、生地規格が４０／１（番手）／３８インチ×２４ゲージの綿布を精錬・漂白処理したものを準備し、一方、皮脂腺活性物質としてγ―オリザノールを５重量％含有した乳化薬剤（商品名  オリザガンマミルキー（株）オリザ油化製）１０％を含有した水溶液を用意した。
次いで、実施例８では、生地を上記水溶液にてパディングし、乾燥（１３０℃、２分）、ベーキング（１８５℃、２分）した。一方、比較例２では、同じ生地でこれらの処理を施さなかった。
処理後の生地に対して皮脂分泌の評価試験を行った結果を表２に示す。
【００３１】
【表２】
2004346466.tif 000003
【００３２】
表２から明らかなように、γ−オリザノールが固着した生地の実施例８では、皮膚表面の皮脂や水分をより良好な状態に保つことができた。
【００３３】
【発明の効果】
本発明の皮脂腺活性物質の固着された繊維構造物は、皮膚表面の皮脂や水分をより良好な状態に保つことができるので、肌の健康を保持するのに有効である。